(57)【特許請求の範囲】
【請求項１】
電線（Ａ）の充電部分を防護するための電線用伸縮絶縁防具（１）であって、
第１および第２の防護シート（１０，２０）を具備し、
前記第１および第２の防護シートが、絶縁性の長方形型シートである第１および第２のシート状部材（１１，２１）をそれぞれ備え、
前記第１のシート状部材の表面に、２本のスライドレール（１４）が、該第１のシート状部材を２つ折りにしたときの折り線に略平行に、かつ、２つ折りにした該第１のシート状部材の開放端の近傍に１本ずつ取り付けられており、
前記第２のシート状部材の裏面に、前記２本のスライドレールとそれぞれ係合する２本の係合部材（２４）が、該第２のシート状部材を２つ折りにしたときの折り線に略平行に、かつ、２つ折りにした該第２のシート状部材の開放端の近傍に１本ずつ取り付けられている、
ことを特徴とする、電線用伸縮絶縁防具。
【請求項２】
前記第１の防護シートが、
一対の第１の掴み部（１２ａ）および常態で閉状態となるように付勢された一対の第１の挟み部（１２ｂ）を有する第１の挟み式クリップ（１２）と、
前記第１のシート状部材の表面に、該第１のシート状部材を２つ折りにしたときの折り線に略平行に、かつ、２つ折りにした該第１のシート状部材の開放端の近傍に１本ずつ取り付けられた２本の第１の棒状体（１３）とをさらに備え、
前記第１の棒状体が、長さが前記第１のシート状部材の幅よりも小さい丸棒であるとともに、一端面が該第１のシート状部材の一側辺と同じ位置になるように取り付けられており、
前記スライドレールが、径が前記第１の棒状体の径と同じ略円筒状の形状を有するとともに、一端面が前記第１の棒状体の他端面に固定されるとともに他端面が前記第１のシート状部材の他側辺と同じ位置になるように取り付けられており、
前記第１の挟み式クリップの一対の前記第１の挟み部の先端部が、２本の前記第１の棒状体にそれぞれ固定されている、
ことを特徴とする、請求項１記載の電線用伸縮絶縁防具。
【請求項３】
前記第２の防護シートが、
一対の第２の掴み部（２２ａ）および常態で閉状態となるように付勢された一対の第２の挟み部（２２ｂ）を有する第２の挟み式クリップ（２２）と、
前記第２のシート状部材の表面に、該第２のシート状部材を２つ折りにしたときの折り線に略平行に、かつ、２つ折りにした該第２のシート状部材の開放端の近傍に１本ずつ取り付けられた２本の第２の棒状体（２３）とをさらに備え、
前記第２の棒状体が、長さが前記第２のシート状部材の幅よりも小さい丸棒であるとともに、一端面が該第２のシート状部材の一側辺と同じ位置になるように取り付けられており、
前記第２の挟み式クリップの一対の前記第２の挟み部の先端部が、２本の前記第２の棒状体にそれぞれ固定されている、
ことを特徴とする、請求項１または２記載の電線用伸縮絶縁防具。
【請求項４】
前記係合部材が、長さが前記第２のシート状部材の幅と同じであり、一端部が該第２のシート状部材を介して前記第２の棒状体の裏側に位置するように取り付けられていることを特徴とする、請求項３記載の電線用伸縮絶縁防具。
【請求項５】
前記係合部材が、長さが前記第２のシート状部材の幅よりも小さく、前記第２のシート状部材の他側辺部に取り付けられていることを特徴とする、請求項１乃至３いずれかに記載の電線用伸縮絶縁防具。
【請求項６】
前記スライドレールの表面に、開口部が、前記第１のシート状部材を２つ折りにしたときの折り線に略平行に形成されていることを特徴とする、請求項１乃至５いずれかに記載の電線用伸縮絶縁防具。
【請求項７】
前記係合部材が、
裏面が前記第２のシート状部材の裏面に固定されたゴム製の直方板部（２４ａ）と、
径が前記スライドレールの内径よりも小さいゴム製の丸棒部（２４ｂ）と、
該丸棒部の中央部に埋め込まれた針金状の心線（２４ｃ）と、
前記直方板部と前記丸棒部とを連結するためのゴム製の連結板部（２４ｄ）とを備え、
前記連結板部が、前記スライドレールの前記開口部を貫通できる大きさとされている、
ことを特徴とする、請求項６記載の電線用伸縮絶縁防具。
【発明の詳細な説明】
【技術分野】
【０００１】
本発明は、間接活線作業を行う際に電線の充電部分を防護するのに好適な電線用伸縮絶縁防具に関する。
【背景技術】
【０００２】
従来、架空配電線などの電線工事をする際には、電線が通電した状態で工事を行う間接活線作業を採用している。
また、間接活線作業では、電線防護シートを電線の充電部分に予め被覆させておくことにより、作業者が作業中に感電したり誤って短絡させたりするなどの不測の事故の発生を防止している。
【０００３】
このような電線防護シートは、たとえば図３に示す電線防護シート１１０のように、シート状部材１１１と、挟み式クリップ１１２と、２本の棒状体１１３とを備える。
【０００４】
シート状部材１１１は、絶縁性の長方形型シートであり、２つ折りにした裏面に電線を納めて、表面から挟み式クリップ１１２によって電線に留められる。
【０００５】
挟み式クリップ１１２は、一対の掴み部１１２ａと、常態で閉状態となるように付勢された一対の挟み部１１２ｂとを備える。
また、挟み部１１２ｂの先端部には、穴部１１２ｃが形成されている。
【０００６】
棒状体１１３は、丸棒であり、シート状部材１１１の表面に、シート状部材１１１を２つ折りにしたときの折り線に略平行に、かつ、２つ折りにしたシート状部材１１１の開放端の近傍に１本ずつ取り付けられている。
また、棒状体１１３は挟み式クリップ１１２の穴部１１２ｃに挿通されており、挟み式クリップ１１２の一対の挟み部１１２ｂの先端部は２本の棒状体１１３にそれぞれ取り付けられている。
【０００７】
電線防護シート１１０は、ヤットコなどを用いて挟み式クリップ１１２の一対の掴み部１１２ａを挟持して一対の挟み部１１２ｂを開き、２つ折りにしたシート状部材１１１の開放端を開くことにより、電線に取り付けられる。
【０００８】
しかし、電線防護シート１１０では、電線のシート状部材１１２の長さ分だけの部分しか防護することができず、電線のシート状部材１１２からはみ出した部分については防護することができないという問題があった。
【０００９】
このような問題の解決手法として、本出願人は、下記の特許文献１において、高圧引下線の周囲を覆うように敷設可能であるとともに高圧引下線に沿って蛇腹状に伸縮可能である絶縁性の防具本体と、防具本体の両端部に設けられて防具本体を挟持可能とする一対のクリップと、一対のクリップ間に設けられるとともに防具本体の伸縮方向の動きをガイドする伸縮自在のガイド部材とを具備する伸縮式絶縁防護具を提案している。
また、本出願人は、下記の特許文献２において、同方向に延設されて互いに対峙する絶縁性の一対のシート部材と一対のクリップとを有して構成し、一対のシート部材のそれぞれの一端部に一方のクリップの対をなす挟持部を固定する第１のクリップ装着部を設け、それぞれの他端部に他方のクリップの対をなす挟持部を固定する第２のクリップ装着部を設け、それぞれのシート部材を幾重にも折り重なる折畳片を連結して構成し、それぞれの折畳片に隣り合う折畳片同士を吸着する磁石を設けるようにした伸縮式絶縁防護具を提案している。
さらに、本出願人は、下記の特許文献３において、一対のクリップと、絶縁性のシート部材をロール状に巻回した状態で引き出し可能に収容された一対のシート収容ブロックとを有して構成し、一対のクリップを伸縮可能な絶縁性の伸縮棒よって連結するようにした伸縮式絶縁防護具を提案している（公報の図５参照）。
【先行技術文献】
【特許文献】
【００１０】
【特許文献１】特開２０１３−１９２３０２号公報
【特許文献２】特開２０１３−１９２３０４号公報
【特許文献３】特開２０１３−１９２３０６号公報
【発明の概要】
【発明が解決しようとする課題】
【００１１】
しかしながら、上記の特許文献１で提案した伸縮式絶縁防護具では、短期的に使用する場合には特に問題ないが、長期的に使用する場合にはバネ部材の劣化により伸縮機能が低下するおそれがあるという問題がある。
上記の特許文献２で提案した伸縮式絶縁防護具では、短期的に使用する場合には特に問題ないが、長期的に使用する場合には繋ぎ部分の劣化による損傷のおそれがあるという問題がある。
上記の特許文献３で提案した伸縮式絶縁防護具では、高圧引下線などのように真っ直ぐな電線を防護する場合には特に問題ないが、縁線のように曲った電線を防護する場合には伸縮棒が支障となるという問題がある。
【００１２】
本発明の目的は、長期的な使用や曲った電線への使用も可能な電線用伸縮絶縁防具を提供することにある。
【課題を解決するための手段】
【００１３】
本発明の電線用伸縮絶縁防具は、電線（Ａ）の充電部分を防護するための電線用伸縮絶縁防具（１）であって、第１および第２の防護シート（１０，２０）を具備し、前記第１および第２の防護シートが、絶縁性の長方形型シートである第１および第２のシート状部材（１１，２１）をそれぞれ備え、前記第１のシート状部材の表面に、２本のスライドレール（１４）が、該第１のシート状部材を２つ折りにしたときの折り線に略平行に、かつ、２つ折りにした該第１のシート状部材の開放端の近傍に１本ずつ取り付けられており、前記第２のシート状部材の裏面に、前記２本のスライドレールとそれぞれ係合する２本の係合部材（２４）が、該第２のシート状部材を２つ折りにしたときの折り線に略平行に、かつ、２つ折りにした該第２のシート状部材の開放端の近傍に１本ずつ取り付けられていることを特徴とする。
ここで、前記第１の防護シートが、一対の第１の掴み部（１２ａ）および常態で閉状態となるように付勢された一対の第１の挟み部（１２ｂ）を有する第１の挟み式クリップ（１２）と、前記第１のシート状部材の表面に、該第１のシート状部材を２つ折りにしたときの折り線に略平行に、かつ、２つ折りにした該第１のシート状部材の開放端の近傍に１本ずつ取り付けられた２本の第１の棒状体（１３）とをさらに備え、前記第１の棒状体が、長さが前記第１のシート状部材の幅よりも小さい丸棒であるとともに、一端面が該第１のシート状部材の一側辺と同じ位置になるように取り付けられており、前記スライドレールが、径が前記第１の棒状体の径と同じ略円筒状の形状を有するとともに、一端面が前記第１の棒状体の他端面に固定されるとともに他端面が前記第１のシート状部材の他側辺と同じ位置になるように取り付けられており、前記第１の挟み式クリップの一対の前記第１の挟み部の先端部が、２本の前記第１の棒状体にそれぞれ固定されていてもよい。
前記第２の防護シートが、一対の第２の掴み部（２２ａ）および常態で閉状態となるように付勢された一対の第２の挟み部（２２ｂ）を有する第２の挟み式クリップ（２２）と、前記第２のシート状部材の表面に、該第２のシート状部材を２つ折りにしたときの折り線に略平行に、かつ、２つ折りにした該第２のシート状部材の開放端の近傍に１本ずつ取り付けられた２本の第２の棒状体（２３）とをさらに備え、前記第２の棒状体が、長さが前記第２のシート状部材の幅よりも小さい丸棒であるとともに、一端面が該第２のシート状部材の一側辺と同じ位置になるように取り付けられており、前記第２の挟み式クリップの一対の前記第２の挟み部の先端部が、２本の前記第２の棒状体にそれぞれ固定されていてもよい。
前記係合部材が、長さが前記第２のシート状部材の幅と同じであり、一端部が該第２のシート状部材を介して前記第２の棒状体の裏側に位置するように取り付けられていてもよい。
前記係合部材が、長さが前記第２のシート状部材の幅よりも小さく、前記第２のシート状部材の他側辺部に取り付けられていてもよい。
前記スライドレールの表面に、開口部が、前記第１のシート状部材を２つ折りにしたときの折り線に略平行に形成されていてもよい。
前記係合部材が、裏面が前記第２のシート状部材の裏面に固定されたゴム製の直方板部（２４ａ）と、径が前記スライドレールの内径よりも小さいゴム製の丸棒部（２４ｂ）と、該丸棒部の中央部に埋め込まれた針金状の心線（２４ｃ）と、前記直方板部と前記丸棒部とを連結するためのゴム製の連結板部（２４ｄ）とを備え、前記連結板部が、前記スライドレールの前記開口部を貫通できる大きさとされていてもよい。
【発明の効果】
【００１４】
本発明の電線用伸縮絶縁防具は、以下に示す効果を奏する。
（１）スライドレールおよび係合部材はバネ部材や繋ぎ部分のように長期的に使用しても劣化することがないため、長期的に使用することができる。
（２）係合部材の端部を手で押したりすると屈曲させられるように係合部材を構成することにより、真っ直ぐな電線だけでなく曲った電線にも使用することもできる。
【図面の簡単な説明】
【００１５】
【図１】本発明の一実施例による電線用伸縮絶縁防具１０の構成について説明するための図である。
【図２】図1に示した電線用伸縮絶縁防具１０の使用方法について説明するための図である。
【図３】従来の電線防護シート１１０の構成について説明するための図である。
【発明を実施するための形態】
【００１６】
上記の目的を、第１の防護シートの第１のシート状部材の表面に２本のスライドレールを取り付けるとともに第２の防護シートの第２のシート状部材の裏面に２本のスライドレールと係合する２本の係合部材を取り付けることにより実現した。
【実施例１】
【００１７】
以下、本発明の電線用伸縮絶縁防具の実施例について図面を参照して説明する。
本発明の一実施例による電線用伸縮絶縁防具１（以下、「伸縮絶縁防具１」と称する。）は、図１（ａ）に示すように、第１および第２の防護シート１０，２０を具備する。
【００１８】
第１の防護シート１０は、第１のシート状部材１１と、第１の挟み式クリップ１２と、２本の第１の棒状体１３と、２本のスライドレール１４とを備える。
【００１９】
ここで、第１のシート状部材１１は、図３に示したシート状部材１１１と同じものであり、絶縁性の長方形型シートである。
【００２０】
第１の挟み式クリップ１２は、図３に示した挟み式クリップ１１２と同じものであり、一対の第１の掴み部１２ａと、常態で閉状態となるように付勢された一対の第１の挟み部１２ｂとを備える。
また、第１の挟み部１２ｂの先端部には、第１の穴部１２ｃ（不図示）が形成されている。
【００２１】
第１の棒状体１３は、丸棒であり、第１のシート状部材１１の表面に、第１のシート状部材１１を２つ折りにしたときの折り線に略平行に、かつ、２つ折りにした第１のシート状部材１１の開放端の近傍に１本ずつ取り付けられている点では、図３に示した棒状体１１３と同様であるが、以下に示す２つの点で、図３に示した棒状体１１３と相違する（図１（ｂ）参照）。
（１）長さが第１のシート状部材１１の幅（横方向の長さ）の４分の１程度である。
（２）第１のシート状部材１１の表面に、左端面（一端面）が第１のシート状部材１１の左辺（一側辺）と同じ位置になるように取り付けられている。
【００２２】
また、第１の棒状体１３は第１の挟み式クリップ１２の第１の穴部１２ｃに挿通されており、第１の挟み式クリップ１２の一対の第１の挟み部１２ｂの先端部は２本の第１の棒状体１３にそれぞれ固定されている。
【００２３】
スライドレール１４は、長さが第１のシート状部材１１の横方向の長さの４分の３程度であるとともに径が第１の棒状体１３の径と同じ略円筒状の形状を有し、図１（ｂ）に示すように、第１のシート状部材１１の表面に、左端面（一端面）が第１の棒状体１３の右端面（他端面）に固定されるとともに右端面（他端面）が第１のシート状部材１１の右辺（他側辺）と同じ位置になるように、２つ折りにした第１のシート状部材１１の開放端の近傍に１本ずつ取り付けられている。
また、スライドレール１４の表面には、開口部が、第１のシート状部材１１を２つ折りにしたときの折り線に略平行に形成されている（すなわち、スライドレール１４は断面Ｃ字状とされている）。
【００２４】
第２の防護シート２０は、第２のシート状部材２１と、第２の挟み式クリップ２２と、２本の第２の棒状体２３と、２本の係合部材２４とを備える。
【００２５】
ここで、第２のシート状部材２１は、第１のシート状部材１１と同じものであり、絶縁性の長方形型シートである。
【００２６】
第２の挟み式クリップ２２は、第１の挟み式クリップ１２と同じものであり、一対の第２の掴み部２２ａと、常態で閉状態となるように付勢された一対の第２の挟み部２２ｂとを備える。
また、第２の挟み部２２ｂの先端部には、第２の穴部２２ｃ（不図示）が形成されている。
【００２７】
第２の棒状体２３は、丸棒であり、第２のシート状部材２１の表面に、第２のシート状部材２１を２つ折りにしたときの折り線（図１（ｃ）の破線参照）に略平行に、かつ、２つ折りにした第２のシート状部材２１の開放端の近傍に１本ずつ取り付けられている点では、第１の棒状体１３と同様であるが、以下に示す２つの点で、第１の棒状体１３と相違する（図１（ａ）参照）。
（１）長さが第２のシート状部材２１の幅（横方向の長さ）の６分の１程度である。
（２）第２のシート状部材２１の表面に、右端面（一端面）が第２のシート状部材２１の右辺（一側辺）と同じ位置になるように取り付けられている。
【００２８】
係合部材２４は、長さが第２のシート状部材２１の幅と同じであり、右端部（一端部）が第２の棒状体２３の裏側に位置するように、第２のシート状部材２１を２つ折りにしたときの折り線に略平行に、かつ、２つ折りにした第２のシート状部材２１の開放端の近傍に１本ずつ取り付けられている。
また、係合部材２４は、図１（ｄ）に示すように、裏面が第２のシート状部材２１の裏面に固定されたゴム製の直方板部２４ａと、径が第１の防護シート１０のスライドレール１４の内径よりも小さいゴム製の丸棒部２４ｂと、丸棒部２４ｂの中央部に埋め込まれた針金状の心線２４ｃと、直方板部２４ａと丸棒部２４ｂとを連結するためのゴム製の連結板部２４ｄとを備える。
ここで、心線２４ｃは、係合部材２４に可撓性を持たせて、常態では係合部材２４は一定の形状を保つが、係合部材２４の端部を手で押したりすると係合部材２４を屈曲させられるようにするためである。
また、連結板部２４ｄは、スライドレール１４の開口部を貫通できる大きさとされている。これにより、第１および第２のシート状部材１１，２１を２つ折りにするとともに第２のシート状部材２１を第１のシート状部材１１の外側に位置させた状態で２本の係合部材２４を２本のスライドレール１４にそれぞれ係合させると、第２のシート状部材２１を第１シート状部材１１の幅方向に沿ってスライドさせることができる。
【００２９】
次に、伸縮絶縁防具１の使用方法について、図２（ａ）〜（ｃ）を参照して説明する。
作業員は、作業開始前に、図２（ａ）に示すように、第１および第２のシート状部材１１，２１を２つ折りにし、第２のシート状部材２１を第１のシート状部材１１の外側に位置させた状態で２本の係合部材２４を２本のスライドレール１４にそれぞれ係合させたのち、第２のシート状部材２１を第１シート状部材１１の幅方向に沿って最後までスライドさせておく。
【００３０】
横方向に真っ直ぐ伸びた電線Ａを防護する場合には、作業員は、ヤットコなどを用いて第１の挟み式クリップ１２の一対の第１の掴み部１２ａを挟持して一対の第１の挟み部１２ｂを開き、２つ折りにした第１のシート状部材１１の開放端を開いて、第１の電線防護シート１０を電線Ａの防護範囲の左半分の部分に被せる。
続いて、作業員は、図２（ｂ）に矢印で示すように、ヤットコなどを用いて第２の電線防護シート２０を第１の電線防護シート１０と反対方向に引っ張って、第２のシート状部材２１を電線Ａの防護範囲の右半分の部分まで第１シート状部材１１の幅方向に沿ってスライドさせる。
続いて、作業員は、ヤットコなどを用いて第２の挟み式クリップ２２の一対の第２の掴み部２２ａを挟持して一対の第２の挟み部２２ｂを開き、２つ折りにした第２のシート状部材２１の開放端を開いて、第２の電線防護シート２０を電線Ａの防護範囲の残りの部分に被せる。
これにより、電線Ａの全防護範囲に第１および第２の電線防護シート１０，２０を被せることができる。
また、第２のシート状部材２１の開放端は２本の係合部材２４によって閉じられるため、電線Ａの防護範囲に第１および第２の電線防護シート１０，２０を被せたのちに第２のシート状部材２１の開放端が風などによって開閉することを防止できる。
【００３１】
なお、高圧引下線などのように上下方向に真っ直ぐな電線を防護する場合にも、第１および第２の電線防護シート１０，２０を被せる向きが横方向から上下方向になるだけであるため、同様の手順によりその防護範囲に第１および第２の電線防護シート１０，２０を被せることができる。
【００３２】
右側部分が下方向に曲げられた電線Ａを防護する場合には、作業員は、ヤットコなどを用いて第１の挟み式クリップ１２の一対の第１の掴み部１２ａを挟持して一対の第１の挟み部１２ｂを開き、２つ折りにした第１のシート状部材１１の開放端を開いて、第１の電線防護シート１０を電線Ａの防護範囲の左半分の部分に被せる。
続いて、作業員は、図２（ｃ）に矢印で示すように、ヤットコなどを用いて第２の電線防護シート２０を第１の電線防護シート１０と反対方向に引っ張って、第２のシート状部材２１を電線Ａの防護範囲の右半分の部分まで第１シート状部材１１の幅方向に沿ってスライドさせる。
続いて、作業員は、図２（ｃ）に矢印で示すように、作業員は、ヤットコなどを用いて第２の挟み式クリップ２２の一対の第２の掴み部２２ａを挟持して一対の第２の挟み部２２ｂを開き、２つ折りにした第２のシート状部材２１の開放端を開いたまま第２の電線防護シート２０の右端部を引き下げて、第２の電線防護シート２０を電線Ａの防護範囲の残りの部分に被せる。
これにより、第２の電線防護シート２０の係合部材２４の右端部が引き下げられて曲るため、図２（ｃ）に示すように右側部分が下方向に曲げられた電線Ａであっても、その全防護範囲に第１および第２の電線防護シート１０，２０を被せることができる。
また、第２のシート状部材２１の開放端は２本の係合部材２４によって閉じられるため、電線Ａの防護範囲に第１および第２の電線防護シート１０，２０を被せたのちに第２のシート状部材２１の開放端が風などによって開閉することを防止できる。
【００３３】
なお、縁線などのように左側部分および右側部分が下方向に曲げられた電線を防護する場合には、第１の電線防護シート１０が斜め右上方向に向いて電線の左側部分に取り付けられるが、第２の電線防護シート２０の係合部材２４は力を加えると自在に曲るため、同様の手順によりその全防護範囲に第１および第２の電線防護シート１０，２０を被せることができる。
【００３４】
以上の説明では、係合部材２４の長さを第２のシート状部材２１の幅と同じとしたが、長さを小さくして（たとえば、家庭用カーテンレールに用いられているランナー程度の大きさにして）、第２のシート状部材２１の左端部に取り付けるようにしてよい。
【００３５】
また、開口部をスライドレール１４の表面に形成したが、開口部をスライドレール１４の下面に形成してもよい。
この場合には、係合部材２４の丸棒部２４ｂは、直方板部２４ａに対して上側を向くようにされる。
【符号の説明】
【００３６】
１  伸縮絶縁防具
１０，２０  第１および第２の防護シート
１１，２１  第１および第２のシート状部材
１２，２２  第１および第２の挟み式クリップ
１２ａ，２２ａ  第１および第２の掴み部
１２ｂ，２２ｂ  第１および第２の挟み部
１２ｃ，２２ｃ  第１および第２の穴部
１３，２３  第１および第２の棒状体
１４  スライドレール
２４  係合部材
２４ａ  直方板部
２４ｂ  丸棒部
２４ｃ  心線
２４ｄ  連結板部
１１０  電線防護シート
１１１  シート状部材
１１２  挟み式クリップ
１１２ａ  掴み部
１１２ｂ  挟み部
１１２ｃ  穴部
１１３  棒状体
Ａ  電線
【図１】
0006458939.tif 000002
【図２】
0006458939.tif 000003
【図３】
0006458939.tif 000004